(57)【要約】      （修正有）【課題】アウトドア用品の技術分野に属し、折り畳み式テント用新規なセンターロック装置を提供する。【解決手段】上部ディスク１、下部ディスクアセンブリ及び上部ディスクと下部ディスクアセンブリとの間に設けられるセンターロッド４を備え、前記下部ディスクアセンブリは下部ディスク２、下部ディスクと回転的に接続されるレンチアセンブリ及び下部ディスク内に摺動的に接続される制限スリーブ３を含み、レンチアセンブリが制限スリーブに当接され、レンチアセンブリが制限スリーブを駆動して摺動させることができ、センターロッドの下端に位置規制部材が設けられ、前記位置規制部材が、前記制限スリーブと係合するように下部ディスク内に埋め込むことができ、制限スリーブと下部ディスクとの間に第１弾性素子が係合して配置される。【選択図】図１
0003225829.tif 000002
【実用新案登録請求の範囲】
【請求項１】
上部ディスク（１）、下部ディスクアセンブリ及び前記上部ディスク（１）と前記下部ディスクアセンブリとの間に設けられるセンターロッド（４）を備える折り畳み式テント用センターロック装置において、
前記下部ディスクアセンブリは、下部ディスク（２）、前記下部ディスク（２）と回転的に接続されるレンチアセンブリ、及び前記下部ディスク（２）内に摺動的に接続される制限スリーブ（３）を含み、前記レンチアセンブリが前記制限スリーブ（３）に当接され、前記レンチアセンブリが前記制限スリーブ（３）を摺動させることができ、前記センターロッド（４）の下端に位置規制部材が設けられ、前記位置規制部材が、前記制限スリーブ（３）に係合するように、前記下部ディスク（２）内に埋め込められ、前記制限スリーブ（３）と前記下部ディスク（２）との間に第１弾性素子が係合されることを特徴とする折り畳み式テント用センターロック装置。
【請求項２】
前記レンチアセンブリはレンチ（６）を含み、前記レンチ（６）が固定接続されたレンチ操作部（６００）及びレンチ実行部（６０１）を含み、前記レンチ操作部（６００）が前記下部ディスク（２）の底部外側にある溝（２００）に設けられ、前記レンチ実行部（６０１）が前記下部ディスク（２）に設けられて前記制限スリーブ（３）に当接されることを特徴とする請求項１に記載の折り畳み式テント用センターロック装置。
【請求項３】
前記レンチアセンブリは、レンチ（６）、第１下部スライダー（７）及び第１上部スライダー（８）を含み、前記レンチ（６）が前記下部ディスク（２）の底部外側にある溝（２００）に設けられ、前記第１下部スライダー（７）が前記下部ディスク（２）に上下方向に摺動的に接続され、前記第１上部スライダー（８）が前記第１下部スライダー（７）の上端に設けられかつそれに当接され、前記第１上部スライダー（８）が前記制限スリーブ（３）に当接され、前記第１上部スライダー（８）が前記下部ディスク（２）に左右方向に摺動的に接続され、前記第１下部スライダー（７）が上に摺動するとき、前記第１上部スライダー（８）を駆動して前記制限スリーブ（３）に向かって摺動させることができることを特徴とする請求項１に記載の折り畳み式テント用センターロック装置。
【請求項４】
前記第１下部スライダー（７）に当接される前記レンチ（６）の一端はカム構造であることを特徴とする請求項３に記載の折り畳み式テント用センターロック装置。
【請求項５】
前記第１上部スライダー（８）の下端には第１下部傾斜面（８００）があり、前記第１下部傾斜面（８００）が前記制限スリーブ（３）の一側に向かって傾斜し、前記第１下部スライダー（７）の下端には前記第１下部傾斜面（８００）の形状に一致する第１上部傾斜面（７００）が設けられ、前記第１上部傾斜面（７００）が前記第１下部傾斜面（８００）に当接されることを特徴とする請求項３に記載の折り畳み式テント用センターロック装置。
【請求項６】
前記位置規制部材は係止ボス（Ａ）であり、前記係止ボス（Ａ）が前記センターロッド（４）の下端に設けられ、かつ前記センターロッド（４）のロッド本体端部とプラットフォーム構造を形成することを特徴とする請求項１に記載の折り畳み式テント用センターロック装置。
【請求項７】
前記センターロッド（４）のロッド本体は前記係止ボス（Ａ）端から下方へ延在する一部又は全部が円錐台状の構造に成し、円錐台状の小さな端面が下向きであることを特徴とする請求項６に記載の折り畳み式テント用センターロック装置。
【請求項８】
前記制限スリーブ（３）の内側に係止部材（１０）が設けられ、前記位置規制部材が係止部（５）であり、前記係止部材（１０）が前記係止部（５）に挿入されてそれに係止されることを特徴とする請求項１に記載の折り畳み式テント用センターロック装置。
【請求項９】
前記下部ディスク（２）は、固定接続された下部ディスク上部（２０１）及び下部ディスク下部（２０２）を含み、前記下部ディスク上部（２０１）と前記下部ディスク下部（２０２）との間に収容キャビティが設けられ、前記下部ディスク上部（２０１）に前記収容キャビティを連通するジャックが設けられ、前記ジャックが前記センターロッド（４）に接続され、前記制限スリーブ（３）が該収容キャビティ内に摺動的に接続されることを特徴とする請求項１〜８のいずれか一項に記載の折り畳み式テント用センターロック装置。
【請求項１０】
前記第１弾性素子は第１リターンスプリング（９）であり、該第１リターンスプリング（９）が前記制限スリーブ（３）と前記下部ディスク（２）との間に設けられ、かつ前記第１リターンスプリング（９）と前記係止部材（１０）とは前記制限スリーブ（３）の同一側に設けられていることを特徴とする請求項８に記載の折り畳み式テント用センターロック装置。
【請求項１１】
前記レンチアセンブリはピン（１１）を介して前記下部ディスク（２）に回転的に接続され、前記ピン（１１）にリセットトーションばね（１２）が嵌合されていることを特徴とする請求項１〜８のいずれか一項に記載の折り畳み式テント用センターロック装置。
【請求項１２】
前記センターロッド（４）は伸縮ロッド（４００）及び前記伸縮ロッド（４００）の外側に嵌合されるケーシング（４０１）を含み、前記伸縮ロッド（４００）及び前記ケーシング（４０１）の上端がいずれも前記上部ディスク（１）に係合され、前記係止部（５）が前記伸縮ロッド（４００）の下端に設けられ、前記ケーシング（４０１）の下端に前記係止部（５）と対応するソケット（１３）が設けられ、前記伸縮ロッド（４００）が収縮するとき、前記ケーシング（４０１）が前記下部ディスク（２）及び前記制限スリーブ（３）に挿入され、前記係止部材（１０）が前記ソケット（１３）及び前記係止部（５）に挿入されることを特徴とする請求項８に記載の折り畳み式テント用センターロック装置。
【請求項１３】
上部ディスク（１）、下部ディスクアセンブリ及び前記上部ディスク（１）と前記下部ディスクアセンブリとの間に設けられるセンターロッド（４）を備える折り畳み式テント用センターロック装置において、
前記下部ディスクアセンブリは下部ディスク（２）、レンチ（６）及び第２上部スライダー（１４）を含み、前記レンチ（６）が前記下部ディスク（２）に回転的に接続され、前記第２上部スライダー（１４）が前記下部ディスク（２）内に摺動的に接続され、前記第２上部スライダー（１４）の一側と前記下部ディスク（２）との間に第２弾性素子が係合され、他側に係止部材（１０）が設けられ、前記レンチ（６）が前記第２上部スライダー（１４）を摺動させることができ、前記センターロッド（４）の下端に係止部（５）が設けられ、前記センターロッド（４）の下端に前記下部ディスク（２）が挿入され、前記係止部材（１０）が前記係止部（５）に挿入されることを特徴とする折り畳み式テント用センターロック装置。  
【請求項１４】
前記レンチ（６）と前記第２上部スライダー（１４）との間に第２下部スライダー（１５）が設けられ、前記第２下部スライダー（１５）が前記下部ディスク（２）内に上下摺動可能であり、前記第２下部スライダー（１５）が前記第２上部スライダー（１４）に当接され、前記第２下部スライダー（１５）が上に摺動するとき、前記第２上部スライダー（１４）を前記第２弾性素子の方向に摺動させることができることを特徴とする請求項１３に記載の折り畳み式テント用センターロック装置。
【請求項１５】
前記第２上部スライダー（１４）の下端に第２下部傾斜面（１４００）が設けられ、前記第２下部傾斜面（１４００）が前記係止部材（１０）の反対側に傾斜し、前記第２下部スライダー（１５）の上端に前記第２下部傾斜面（１４００）の形状に一致する第２上部傾斜面（１５００）が設けられ、前記第２上部傾斜面（１５００）が前記第２下部傾斜面（１４００）に当接されることを特徴とする請求項１４に記載の折り畳み式テント用センターロック装置。
【請求項１６】
前記第２下部スライダー（１５）に当接される前記レンチ（６）の一端がカムとして設けられていることを特徴とする請求項１４に記載の折り畳み式テント用センターロック装置。
【請求項１７】
前記下部ディスク（２）は固定接続された下部ディスク上部（２０１）及び下部ディスク下部（２０２）を含み、前記下部ディスク上部（２０１）と前記下部ディスク下部（２０２）との間に収容キャビティが設けられ、前記下部ディスク上部（２０１）に前記収容キャビティを連通するジャックが設けられ、前記ジャックが前記センターロッド（４）に接続され、前記第２上部スライダー（１４）が該収容キャビティ内に摺動的に接続されることを特徴とする請求項１３〜１６のいずれか一項に記載の折り畳み式テント用センターロック装置。
【請求項１８】
前記第２弾性素子は、第２リターンスプリング（１６）であることを特徴とする請求項１３〜１６のいずれか一項に記載の折り畳み式テント用センターロック装置。
【請求項１９】
前記レンチ（６）はピン（１１）を介して前記下部ディスク（２）に回転的に接続され、前記ピン（１１）にリセットトーションばね（１２）が嵌合されることを特徴とする請求項１３〜１６のいずれか一項に記載の折り畳み式テント用センターロック装置。
【請求項２０】
前記センターロッド（４）は、伸縮ロッド（４００）及び前記伸縮ロッド（４００）外に嵌合されるケーシング（４０１）を含み、前記伸縮ロッド（４００）及び前記ケーシング（４０１）の上端がいずれも前記上部ディスク（１）と係合され、前記係止部（５）が前記伸縮ロッド（４００）の下端に設けられ、前記ケーシング（４０１）の下端に前記係止部（５）と対応するソケット（１３）が設けられ、前記伸縮ロッド（４００）が収縮するとき、前記ケーシング（４０１）が前記下部ディスク（２）及び制限スリーブ（３）に挿入され、前記係止部材（１０）が前記ソケット（１３）及び前記係止部（５）に挿入されることを特徴とする請求項１３〜１６のいずれか一項に記載の折り畳み式テント用センターロック装置。
【考案の詳細な説明】
【技術分野】
【０００１】
本考案はアウトドア用品の技術分野に属し、具体的に折り畳み式テント用新規なセンターロック装置に関する。
【背景技術】
【０００２】
折り畳み式テントは人気のあるアウトドア用品であり、従来の折り畳み式テントは通常、支柱、センターロック装置、上部ポール、下部ポール、外部サポートポール、内部サポートポールのサイドバー、及びテントクロスからなる。従来のセンターロック装置は、操作が不便で片手では操作できないという問題があった。この問題に対処するために、出願人が折り畳み式テント用新規なセンターロック装置を提案し、センターロック装置の操作をより便利にする。
【考案の概要】
【考案が解決しようとする課題】
【０００３】
従来技術の欠点を補うために、本考案は、折り畳み式テント用新規なセンターロック装置の技術的解決手段を提供する。
【課題を解決するための手段】
【０００４】
上部ディスク、下部ディスクアセンブリ、及び前記上部ディスクと前記下部ディスクアセンブリとの間に設けられるセンターロッドを備える折り畳み式テント用新規なセンターロック装置において、前記下部ディスクアセンブリは、下部ディスク、前記下部ディスクに回転的に接続されるレンチアセンブリ、及び前記下部ディスク内に摺動的に接続される制限スリーブを含み、レンチアセンブリが前記制限スリーブに当接され、レンチアセンブリが制限スリーブを摺動させることができ、前記センターロッドの下端に位置規制部材が設けられ、前記位置規制部材が、前記制限スリーブに係合するように、前記下部ディスク内に埋め込められ、前記制限スリーブと前記下部ディスクとの間に第１弾性素子が係合されることを特徴とする。
【０００５】
前記折り畳み式テント用新規なセンターロック装置において、前記レンチアセンブリはレンチを含み、前記レンチが固定接続されたレンチ操作部及びレンチ実行部を含み、前記レンチ操作部が前記下部ディスクの底部外側にある溝に設けられ、前記レンチ実行部が前記下部ディスクに設けられて前記制限スリーブに当接されることを特徴とする。
【０００６】
前記折り畳み式テント用新規なセンターロック装置において、前記レンチアセンブリは、レンチ、第１下部スライダー及び第１上部スライダーを含み、前記レンチが下部ディスクの底部外側にある溝に設けられ、前記第１下部スライダーが前記下部ディスクに上下方向に摺動的に接続され、前記第１上部スライダーが前記第１下部スライダーの上端に設けられかつそれに当接され、前記第１上部スライダーが前記制限スリーブに当接され、前記第１上部スライダーが前記下部ディスクに左右方向に摺動的に接続され、前記第１下部スライダーが上に摺動するとき、前記第１上部スライダーを前記制限スリーブに向かって摺動させることができることを特徴とする。
【０００７】
折り畳み式テント用新規なセンターロック装置において、前記第１下部スライダーに当接される前記レンチの一端はカム構造であることを特徴とする。
【０００８】
前記折り畳み式テント用新規なセンターロック装置において、前記第１上部スライダーの下端には第１下部傾斜面があり、前記第１下部傾斜面が前記制限スリーブの一側に向かって傾斜し、前記第１下部スライダーの下端には前記第１下部傾斜面の形状に一致する第１上部傾斜面があり、前記第１上部傾斜面が前記第１下部傾斜面に当接されることを特徴とする。
【０００９】
前記折り畳み式テント用新規なセンターロック装置において、前記位置規制部材は係止ボス（Ａ）であり、前記係止ボス（Ａ）が前記センターロッド（４）の下端に設けられ、かつ前記センターロッド（４）のロッド本体端部とプラットフォーム構造を形成することを特徴とする。
【００１０】
前記折り畳み式テント用新規なセンターロック装置において、前記センターロッドのロッド本体は、前記係止ボスの端部から下方へ延在する一部又は全部が円錐台状の構造に成し、円錐台状の小さな端面が下向きであることを特徴とする。
【００１１】
前記折り畳み式テント用新規なセンターロック装置において、制限スリーブの内側に係止部材が設けられ、前記位置規制部材が係止部であり、前記係止部材が前記係止部に挿入されてそれに係止されることを特徴とする。
【００１２】
前記折り畳み式テント用新規なセンターロック装置において、前記下部ディスクは、固定接続された下部ディスク上部及び下部ディスク下部を含み、前記下部ディスク上部と前記下部ディスク下部との間に収容キャビティが設けられ、前記下部ディスク上部に収容キャビティを連通するジャックが設けられ、ジャックが前記センターロッドに接続され、前記制限スリーブが該収容キャビティ内に摺動的に接続されることを特徴とする。
【００１３】
前記折り畳み式テント用新規なセンターロック装置において、前記第１弾性素子は第１リターンスプリングであり、該第１リターンスプリングが前記制限スリーブと前記下部ディスクとの間に設けられ、かつ前記第１リターンスプリングと前記係止部材とは前記制限スリーブの同一側に設けられていることを特徴とする。
【００１４】
前記折り畳み式テント用新規なセンターロック装置において、前記レンチアセンブリはピンを介して前記下部ディスクに回転的に接続され、前記ピンにリセットトーションばねが嵌合されていることを特徴とする。
【００１５】
前記折り畳み式テント用新規なセンターロック装置において、前記センターロッドは、伸縮ロッド及び伸縮ロッド外に嵌合されるケーシングを含み、前記伸縮ロッド及び前記ケーシングの上端がいずれも前記上部ディスクに係合され、前記係止部が前記伸縮ロッドの下端に設けられ、前記ケーシングの下端に前記係止部と対応するソケットが設けられ、前記伸縮ロッドが収縮するとき、前記ケーシングが前記下部ディスク及び前記制限スリーブに挿入され、前記係止部材が前記ソケット及び前記係止部に挿入されることを特徴とする。
【００１６】
上部ディスク、下部ディスクアセンブリ、及び上前記部ディスクと下部ディスクアセンブリとの間に設けられるセンターロッドを備える折り畳み式テント用新規なセンターロック装置において、前記下部ディスクアセンブリは下部ディスク、レンチ及び第２上部スライダーを含み、前記レンチが前記下部ディスクに回転的に接続され、前記第２上部スライダーが前記下部ディスク内に摺動的に接続され、前記第２上部スライダーの一側と前記下部ディスクとの間に第２弾性素子が係合され、他側に係止部材が設けられ、前記レンチが前記第２上部スライダーを摺動させ、前記センターロッドの下端に係止部が設けられ、前記センターロッドの下端に前記下部ディスクが挿入され、前記係止部材が前記係止部に挿入されることを特徴とする。  
【００１７】
前記折り畳み式テント用新規なセンターロック装置において、前記レンチと前記第２上部スライダーとの間に第２下部スライダーが設けられ、前記第２下部スライダーが前記下部ディスク内に上下摺動可能であり、前記第２下部スライダーが前記第２上部スライダーに当接され、前記第２下部スライダーが上に摺動するとき、前記第２上部スライダーを第２弾性素子に向かって摺動させることができることを特徴とする。
【００１８】
前記折り畳み式テント用新規なセンターロック装置において、前記第２上部スライダーの下端に第２下部傾斜面が設けられ、前記第２下部傾斜面が前記係止部材の反対側に傾斜し、前記第２下部スライダーの上端に前記第２下部傾斜面の形状に一致する第２上部傾斜面が設けられ、前記第２上部傾斜面が第２下部傾斜面に当接されることを特徴とする。
【００１９】
前記折り畳み式テント用新規なセンターロック装置において、第２下部スライダーに当接される前記レンチの一端がカムとして設けられていることを特徴とする。
【００２０】
前記折り畳み式テント用新規なセンターロック装置において、前記下部ディスクは固定接続された下部ディスク上部及び下部ディスク下部を含み、前記下部ディスク上部と前記下部ディスク下部との間に収容キャビティが設けられ、前記下部ディスク上部に収容キャビティを連通するジャックが設けられ、ジャックが前記センターロッドに接続され、前記第２上部スライダーが該収容キャビティ内に摺動的に接続されることを特徴とする。
【００２１】
前記折り畳み式テント用新規なセンターロック装置において、前記第２弾性素子は第２リターンスプリングであることを特徴とする。
【００２２】
前記折り畳み式テント用新規なセンターロック装置において、前記レンチはピンを介して前記下部ディスクに回転的に接続され、前記ピンにリセットトーションばねが嵌合されることを特徴とする。
【００２３】
前記折り畳み式テント用新規なセンターロック装置において、前記センターロッドは、伸縮ロッド及び伸縮ロッド外に嵌合されるケーシングを含み、前記伸縮ロッド及び前記ケーシングの上端がいずれも前記上部ディスクと係合され、前記係止部が前記伸縮ロッドの下端に設けられ、前記ケーシングの下端が前記係止部と対応するソケットを有し、前記伸縮ロッドが収縮するとき、前記ケーシングが前記下部ディスク及び前記制限スリーブに挿入され、前記係止部材が前記ソケット及び前記係止部に挿入されることを特徴とする。
【考案の効果】
【００２４】
従来の技術と比較して、本考案は、巧妙な設計を有し、片手で操作することができ、ユーザーに大きな利便性をもたらした。
【図面の簡単な説明】
【００２５】
【図１】実施例１の分解構造の概略図である。
【図２】実施例１のロック解除状態の構造概略図である。
【図３】実施例１のロック状態の構造概略図である。
【図４】実施例１における下部ディスクの下部の概略平面図である。
【図５】実施例１における下部ディスクの下部の構造概略図である。
【図６】実施例１における制限スリーブの構造概略図である。
【図７】実施例２の分解構造概略図である。
【図８】実施例２のロック解除状態の構造概略図である。
【図９】実施例２のロック状態にある構造概略図である。
【図１０】実施例２における下部ディスクの下部の概略平面図である。
【図１１】実施例２における下部ディスクの下部の構造概略図である。
【図１２】実施例２における制限スリーブの構造概略図である。
【図１３】実施例３の分解構造概略図である。
【図１４】実施例３のロック解除状態にある構造概略図である。
【図１５】ｖ実施例３のロック状態にある構造概略図である。
【図１６】実施例３における下部ディスクの下部の概略平面図である。
【図１７】実施例３における下部ディスクの下部の構造概略図である。
【図１８】実施例３における制限スリーブの構造概略図である。
【図１９】実施例３における第１上部スライダーと第１下部スライダーの第１構造概略図である。
【図２０】実施例３における第１上部スライダーと第１下部スライダーの第２構造概略図である。
【図２１】実施例４の分解構造概略図である。
【図２２】実施例４のロック解除状態にある構造概略図である。
【図２３】実施例４のロック状態にある構造概略図である。
【図２４】実施例４における下部ディスクの下部の概略平面図である。
【図２５】実施例４における下部ディスクの下部の構造概略図である。
【図２６】実施例４における第１上部スライダーと第１下部スライダーの第１構造概略図である。
【図２７】実施例４における第１上部スライダーと第１下部スライダーの第２構造概略図である。
【図２８】図２１の部分拡大図である。
【図２９】実施例５におけるセンターロッドの構造概略図である。
【図３０】実施例６におけるセンターロッドの構造概略図である。
【考案を実施するための形態】
【００２６】
以下、図面を参照しながら本考案をさらに説明する。
【００２７】
実施例１
図１〜６に示すように、折り畳み式テント用新規なセンターロック装置であって、上部ディスク１、下部ディスクアセンブリ及び上部ディスク１と下部ディスクアセンブリとの間に設けられるセンターロッド４を備える。下部ディスクアセンブリは、下部ディスク２、下部ディスク２に回転的に接続されるレンチアセンブリ及び下部ディスク２内に摺動的に接続される制限スリーブ３を含む。レンチアセンブリは、制限スリーブ３に当接され、レンチアセンブリが制限スリーブ３を摺動させることができる。センターロッド４の下端に位置規制部材が設けられ、位置規制部材が制限スリーブ３に係止するように、下部ディスク２内に嵌合される。制限スリーブ３の内側に係止部材１０が設けられ、係止部材１０の上端面が制限スリーブ３の内部に向かって傾斜する傾斜面である。センターロッド４の下端に係止部５が設けられ、係止部５が位置規制部材であり、センターロッド４の下端が下部ディスク２及び制限スリーブ３に挿入され、係止部材１０が係止部５に挿入され、制限スリーブ３と下部ディスク２との間に第１弾性素子が係合される。
【００２８】
レンチアセンブリ：レンチアセンブリはレンチ６を含み、レンチ６が固定接続されたレンチ操作部６００及びレンチ実行部６０１を含む。レンチ操作部６００は、人が下に引っ張ることができるように、下部ディスク２の底部外側の溝２００に設けられる。レンチ実行部６０１は下部ディスク１内に設けられて制限スリーブ３に当接される。レンチ操作部６００とレンチ実行部６０１との接続部がピン１１を介して下部ディスク２に回転的に接続され、既知の方法で、ピン１１にはリセットトーションばね１２が嵌合されている。
【００２９】
下部ディスク：下部ディスク２は、固定接続された下部ディスクの上部２０１及び下部ディスクの下部２０２を含む。下部ディスクの上部２０１と下部ディスクの下部２０２との間に収容キャビティが設けられる。下部ディスクの上部２０１に収容キャビティを連通させるジャックが設けられ、ジャックがセンターロッド４に接続され、制限スリーブ３が該収容キャビティ内に摺動的に接続される。制限スリーブ３の動きを制限するために、下部ディスクの上部２０１の下端にストップリングがさらに固定接続され、制限スリーブ３がストップリングにある。
【００３０】
第１弾性素子：第１弾性素子は第１リターンスプリング９であり、該第１リターンスプリング９が制限スリーブ３と下部ディスク２との間に設けられ、第１リターンスプリング９及び係止部材１０が制限スリーブ３の同一側にある。第１リターンスプリング９の脱落を防止するために、制限スリーブ３の対応する一側に制限スリーブ固定柱３００が固定接続され、第１リターンスプリング９が該制限スリーブ固定柱３００に嵌合される。
【００３１】
センターロッド：センターロッド４は、伸縮ロッド４００及び伸縮ロッド４００外に嵌合されるケーシング４０１を含む。伸縮ロッド４００及びケーシング４０１の上端がいずれも既知の方法で上部ディスク１に固定接続される。係止部５が伸縮ロッド４００の下端に設けられ、ケーシング４０１の下端に係止部５と対応するソケット１３が設けられる。伸縮ロッド４００が収縮するとき、ケーシング４０１が下部ディスク２及び制限スリーブ３に挿入され、係止部材１０がソケット１３及び係止部５に挿入される。
【００３２】
係止部のさらなる配置方法：伸縮ロッド４００の下端に円柱状の接続ブロック１７が挿着され、両者の側面がねじで固定される。接続ブロックの下端に段差面が設けられ、該段差面及び伸縮ロッド４００下端面に係止部５が形成される。
【００３３】
ロックするとき、伸縮ロッド４００及びケーシング４０１の下端を下部ディスク２及び制限スリーブ３に挿入する。係止部材１０の上端面が傾斜面であるため、係止部材１０が自動的に引き込まれ、第１リターンスプリング９の作用によりソケット１３及び係止部５に挿入される。
【００３４】
ロック解除時、レンチ６を下に移動すると、レンチ６が制限スリーブ３を駆動して第１リターンスプリング９の一側に摺動させる。それにより、係止部材１０がソケット１３及び係止部５から出て、ロック解除を達成し、センターロッド４を引き出し、レンチ６を放し、レンチ６がリセットトーションばね１２によりリセットされ、制限スリーブ３が第１リターンスプリング９の作用によりリセットされる。
【００３５】
実施例２
図７〜１２に示すように、実施例２が実施例１と比べると、その違いは、実施例２のセンターロッド４が引き込み不能であり、センターロッド４の下端に接続端１８が設けられ、接続端とセンターロッド４とは一体構造であり、接続端１８がロッド部及びヘッド部を含み、ロッド部の直径がヘッド部及びセンターロッド４の直径よりも小さいため、ロッド部に係止部５が形成されることである。
【００３６】
ロックするとき、センターロッド４の接続端１８を下部ディスク２及び制限スリーブ３に挿入する。係止部材１０の上端面が傾斜面であるため、係止部材１０が自動的に引き込まれ、第１リターンスプリング９の作用により係止部５に挿入される。
【００３７】
ロック解除時、レンチ６を下に移動すると、レンチ６が制限スリーブ３を駆動して第１リターンスプリング９の一側に向かって摺動させる。それにより、係止部材１０が係止部５から出て、ロック解除を達成し、センターロッド４を引き出し、レンチ６を放し、レンチ６がリセットトーションばね１２の作用によりリセットされ、制限スリーブ３が第１リターンスプリング９の作用によりリセットされる。
【００３８】
実施例３
図１３〜２０に示すように、実施例３が実施例１と比べると、その違いは次のとおりである。
【００３９】
実施例３のレンチアセンブリは、レンチ６、第１下部スライダー７及び第１上部スライダー８を含む。レンチ６は、下部ディスク２の底部外側にある溝２００に設けられる。第１下部スライダー７は、下部ディスク２に上下方向に摺動的に接続される。第１上部スライダー８は、第１下部スライダー７の上端に設けられ、かつそれに当接される。第１上部スライダー８は制限スリーブ３に当接され、第１上部スライダー８が下部ディスク２に左右方向に摺動的に接続され、第１下部スライダー７が上に摺動するとき、第１上部スライダー８を駆動して制限スリーブ３に向かって摺動させることができる。第１下部スライダー７を上に移動可能にするために、第１下部スライダー７に当接されるレンチ６の一端がカム構造として設けられる。
【００４０】
第１上部スライダーと第１下部スライダーの具体的な構造：第１上部スライダー８の下端に第１下部傾斜面８００が設けられる。第１下部傾斜面８００が制限スリーブ３の一側に向かって傾斜し、第１下部スライダー７の下端に第１下部傾斜面８００に平行な第１上部傾斜面７００が設けられる。第１上部傾斜面７００が第１下部傾斜面８００に当接される。
【００４１】
第１上部スライダー８をより安定して摺動させるために、下部ディスクの下部２０２に固定台２０４が固定接続され、第１上部スライダー８の両側に２つの翼が固定接続され、第１上部スライダー８が固定台２０４において摺動し、２つの翼の下端が固定台２０４に当接される。
【００４２】
ロックするとき、伸縮ロッド４００及びケーシング４０１の下端を下部ディスク２及び制限スリーブ３に挿入させる。係止部材１０の上端面が傾斜面であるため、係止部材１０が自動的に収縮する。そして、第１リターンスプリング９の作用によりソケット１３及び係止部５に挿入される。
【００４３】
ロック解除時、レンチ６を下に移動し、レンチ６が第１下部スライダー７をわずかに上に移動させ、第１下部スライダー７が第１上部スライダー８を駆動して制限スリーブ３に向かって摺動させる。それにより、係止部材１０がソケット１３及び係止部５から出て、ロック解除を達成し、センターロッド４を引き出して、レンチ６を放し、レンチ６がリセットトーションばね１２の作用によりリセットされ、制限スリーブ３が第１リターンスプリング９の作用によりリセットされる。
【００４４】
実施例４
図２１〜２８に示すように、折り畳み式テント用新規なセンターロック装置であって、上部ディスク１、下部ディスクアセンブリ及び上部ディスク１と下部ディスクアセンブリとの間に設けられるセンターロッド４を備える。下部ディスクアセンブリは、下部ディスク２、レンチ６、第２上部スライダー１４及び第２下部スライダー１５を含む。レンチ６が下部ディスク２に回転的に接続される。第２上部スライダー１４が下部ディスク２内に左右方向に摺動的に接続される。第２上部スライダー１４の一側と下部ディスク２との間に第２弾性素子が係合され、他側に係止部材１０が設けられる。第２下部スライダー１５は、下部ディスク２内で上下摺動可能である。第２下部スライダー１５が第２上部スライダー１４に当接され、第２下部スライダー１５が上に移動するとき、第２上部スライダー１４を駆動して第２弾性素子に向かって摺動させることができる。レンチ６は、第２下部スライダー１５を駆動して上に摺動させる。センターロッド４の下端に係止部５が設けられ、センターロッド４の下端が下部ディスク２に挿入され、係止部材１０が係止部５に挿入される。  
【００４５】
第２上部スライダーと第２下部スライダーの具体的な構造：第２上部スライダー１４の下端に第２下部傾斜面１４００が設けられる。第２下部傾斜面１４００が係止部材１０の反対側に傾斜し、第２下部スライダー１５の上端に第２下部傾斜面１４００に平行な第２上部傾斜面１５００が設けられ、第２上部傾斜面１５００が第２下部傾斜面１５００に当接される。            
【００４６】
下部ディスク：下部ディスク２は、固定接続された下部ディスクの上部２０１及び下部ディスクの下部２０２を含む。下部ディスクの上部２０１と下部ディスクの下部２０２との間に収容キャビティが設けられ、下部ディスクの上部２０１に収容キャビティを連通するジャックが設けられ、ジャックがセンターロッド４に接続され、第２上部スライダー１４が該収容キャビティ内に摺動的に接続される。制限スリーブ３の動きを制限するために、下部ディスク上部２０１の下端にストップリングがさらに固定接続され、制限スリーブ３がストップリングに設けられる。
【００４７】
第２弾性素子：第２弾性素子は第２リターンスプリング１６である。
【００４８】
レンチ：人が下に引っ張ることができるように、レンチ６が下部ディスク２の底部外側にある溝２００に設けられる。レンチ６は、ピン１１を介して下部ディスク２に回転的に接続され、既知の方法でピン１にリセットトーションばね１２が嵌合される。また、レンチ６が第２下部スライダー１５を上方に移動させるために、第２下部スライダー１５に当接するレンチ６の端部はカムとして設けられる。
【００４９】
係止部のさらなる配置方法は、センターロッド４の下端に、円柱状の接続ブロック２０がねじで固定挿着され、接続ブロック２０の両側にストッパー１９が固定接続され、該ストッパー１９とセンターロッド４の下端段差面とが係止部５を形成することである。
【００５０】
ロックするとき、センターロッド４の接続ブロック２０を下部ディスク２に挿入させる。係止部材１０の上端面が傾斜面であるため、係止部材１０が自動的に収縮し、第１リターンスプリング９の作用により係止部５に挿入される。
【００５１】
ロック解除時、レンチ６を下に動かすと、レンチ６が第２下部スライダー１５を駆動してわずかに上に移動し、第２下部スライダー１５が第２上部スライダー１４を駆動して係止部５から摺動させる。それにより、係止部材１０が係止部５から出て、ロックを解除し、センターロッド４を引き出し、レンチ６を放し、レンチ６がリセットトーションばね１２の作用によりリセットされる。
【００５２】
実施例５
上記に基づいて、図２９に示すように、本実施例により開示された折り畳み式テント用新規なセンターロック装置では、前記位置規制部材がさらに係止ボスＡであってもよい。係止ボスＡは、センターロッド４の下端に設けられ、センターロッド４ｌのロッド本体端部とプラットフォーム構造を形成し、プラットフォームが係止部材１０と位置規制するように係合され、係止を完了する。
【００５３】
実施例６
上記に基づいて、図３０に示すように、本実施例により開示される折り畳み式テント用新規なセンターロック装置では、センターロッド４のロッド本体は、係止ボスのＡ端から下方に延在する一部又は全部が円錐台形状に成し、円錐台形状の小さい端面が下向きである。
【００５４】
センターロッド４ロッド本体は円錐台形構造を採用し、係止部材１０とプラットフォームとの制限係合の安定性をより強め、係止部材１０ののロック解除の安定性を高めることができる。
【００５５】
なお、最後に、上記の各実施例は、本考案の技術的解決手段を説明するためにのみ使用されるものであり、それに限定されるものではなく、当業者は前述の各実施例に記載された技術的解決手段を、依然として修正することができ、又は技術的特徴の一部又はすべてを同等に置き換えることができ、これらの修正又は置換により、対応する技術的解決手段の本質が本考案の各実施例の技術的解決手段の範囲から逸脱しないことが理解すべきである。
【符号の説明】
【００５６】
１上部ディスク、２下部ディスク、２００溝、２０１下部ディスク上部、２０２下部ディスク下部、２０４固定台、３制限スリーブ、３００制限スリーブ固定柱、４センターロッド、４００伸縮ロッド、４０１ケーシング、５係止部、６レンチ、６００レンチ操作部、６０１レンチ実行部、７第１下部スライダー、７００第１上部傾斜面、８第１上部スライダー、８００第１下部傾斜面、９第１リターンスプリング、１０係止部材、１１ピン、１２リセットトーションばね、１３ソケット、１４第２上部スライダー、１４００第２下部傾斜面、１５第２下部スライダー、１５００第２上部傾斜面、１６第２リターンスプリング、１７接続ブロック、１８接続端、１９ストッパー、Ａ係止ボス。
【図１】
0003225829.tif 000003
【図２】
0003225829.tif 000004
【図３】
0003225829.tif 000005
【図４】
0003225829.tif 000006
【図５】
0003225829.tif 000007
【図６】
0003225829.tif 000008
【図７】
0003225829.tif 000009
【図８】
0003225829.tif 000010
【図９】
0003225829.tif 000011
【図１０】
0003225829.tif 000012
【図１１】
0003225829.tif 000013
【図１２】
0003225829.tif 000014
【図１３】
0003225829.tif 000015
【図１４】
0003225829.tif 000016
【図１５】
0003225829.tif 000017
【図１６】
0003225829.tif 000018
【図１７】
0003225829.tif 000019
【図１８】
0003225829.tif 000020
【図１９】
0003225829.tif 000021
【図２０】
0003225829.tif 000022
【図２１】
0003225829.tif 000023
【図２２】
0003225829.tif 000024
【図２３】
0003225829.tif 000025
【図２４】
0003225829.tif 000026
【図２５】
0003225829.tif 000027
【図２６】
0003225829.tif 000028
【図２７】
0003225829.tif 000029
【図２８】
0003225829.tif 000030
【図２９】
0003225829.tif 000031
【図３０】
0003225829.tif 000032